(57)【要約】【課題】構造が比較的簡単で小型化が可能となり、堅強な構造が可能で、重量物を保管する保管庫の抽斗を良好にロックすることができる抽斗用ロック装置を提供する。【解決手段】保管庫本体１の側部に縦長のロック杆４が配設され、ロック杆４にはロック片４ｂが各段の抽斗２に対応した位置に設けられる。各抽斗２の側部には、当接係止部２１と係止孔２２を有した係止部５が設けられる。各ロック片４ｂに対応して、抽斗２の引き出し動作時に回動するロックアーム６が軸支される。ラッチ部材１５が各段の抽斗に対応した位置に抽斗の係止部側に突出し先端の爪部１５ｂを係止孔２２に嵌合可能に配設される。保管庫本体１の上側部にカード式施錠具１０が装着され、施錠具の解錠操作に応じてロック杆４を上昇動作させる作動レバー１２が保管庫本体の上部内に配設される。【選択図】図２
2009150119.tif 000002
【特許請求の範囲】
【請求項１】
保管庫本体内に配設された多段状の複数の抽斗をロックする抽斗用ロック装置において、
該保管庫本体の側部に縦長のロック杆が縦に摺動可能に配設され、該ロック杆にはロック片が該各段の抽斗に対応した位置に突設され、該各抽斗の側部には、当接係止部と係止孔を有した係止部が設けられ、該各ロック片に隣接した位置に、該抽斗の該当接係止部に当って前方に回動するロックアームが回動可能に軸支されると共に、該各段の抽斗に対応した位置にラッチ部材が該抽斗の係止部側に突出可能に且つ先端の爪部を該係止孔に嵌合可能に配設され、該保管庫本体の上側部に施錠具が装着され、該施錠具の解錠操作に応じて該ロック杆を上昇動作させる作動レバーが該保管庫本体の上部内に配設され、解錠操作時に該作動レバーの動作により該ロック杆と共に該ロック片が上昇して、該ロックアームの前方への回動が許容されて該抽斗が引き出し可能とされ、解錠状態で何れか１つの該抽斗が引き出され、該当接係止部に押されて該ロックアームが前方に回動したとき、該ラッチ部材が該抽斗側に突出し、保管庫本体内の他の抽斗における該係止孔に該ラッチ部材の爪部が嵌合して、該他の抽斗の動きをロックすることを特徴とする抽斗用ロック装置。
【請求項２】
前記施錠具としてカードキーを挿入することにより錠作動部を移動させて解錠動作するカード式錠が配設され、前記作動レバーが該錠作動部に係合して回動可能に枢支され、該カード式錠にカードキーを挿入して該錠作動部を移動させたとき、該錠作動部が該作動レバーを回動させ、該作動レバーによって前記ロック杆が上昇し、前記抽斗のロックが解除されることを特徴とする請求項１記載の抽斗用ロック装置。
【請求項３】
前記ロック杆、前記ロックアーム、前記ラッチ部材及び施錠具は、前記保管庫本体の前側角部を形成する縦長のロックケース内に取り付けられたことを特徴とする請求項１記載の抽斗用ロック装置。
【発明の詳細な説明】
【技術分野】
【０００１】
本発明は、複数の抽斗を多段状に備えた保管庫などに使用され、抽斗をロックする抽斗用ロック装置に関する。
【背景技術】
【０００２】
従来、複数の抽斗を多段状に備えたキャビネットなどにおいて、全ての抽斗をロック可能とすると共に、何れか１つの抽斗を引き出した状態で、他の抽斗の引き出し操作をロックする構造のロック装置が、下記特許文献１などで知られている。
【特許文献１】特開平９−２３４１２９号公報
【発明の開示】
【発明が解決しようとする課題】
【０００３】
従来のこの種の抽斗用ロック装置は、施錠装置の回動操作によって回動する鍵棒及び鍵棒に装着されるカム付きのラッチ部材を備え、施錠装置の解錠操作によってラッチ部材を解錠動作させ、何れか１つの抽斗を引き出した状態で、他の抽斗に対応したラッチ部材がそれらの抽斗のストッパを係止して、他の抽斗の引き出し操作がロックされる構造である。
【０００４】
しかしながら、この抽斗用ロック装置は、カム付きラッチ部材の形状が複雑な立体形状となり、鍵棒を回動する機構やカム付きラッチ部材の連結構造も複雑化していた。このため、ロック装置の製造コストが高くなると共に、ロック機構を収納するキャビネット本体内部の収納スペースが大型化して、既製のキャビネット本体や抽斗に、簡単には適用できないという課題があった。
【０００５】
また、複雑な形状のラッチ部材は、製造コストを考慮して通常プラスチックで成形することになるが、金型部品などの重量物を保管する保管庫の抽斗に、上記ロック装置を使用した場合、重量の重い抽斗を操作する際の操作慣性力が大きく、過大荷重がラッチ部材にかかると、ラッチ部材が破損する虞が生じる課題があった。
【０００６】
本発明は、上述の課題を解決するものであり、構造が比較的簡単で小型化が可能となり、堅強な構造が可能で、重量物を保管する保管庫の抽斗を良好にロックすることができる抽斗用ロック装置を提供することを目的とする。
【課題を解決するための手段】
【０００７】
本発明に係る抽斗用ロック装置は、保管庫本体内に配設された多段状の複数の抽斗をロックする抽斗用ロック装置において、該保管庫本体の側部に縦長のロック杆が縦に摺動可能に配設され、該ロック杆にはロック片が該各段の抽斗に対応した位置に突設され、該各抽斗の側部には、当接係止部と係止孔を有した係止部が設けられ、該各ロック片に隣接した位置に、該抽斗の該当接係止部に当って前方に回動するロックアームが回動可能に軸支されると共に、該各段の抽斗に対応した位置にラッチ部材が該抽斗の係止部側に突出可能に且つ先端の爪部を該係止孔に嵌合可能に配設され、該保管庫本体の上側部に施錠具が装着され、該施錠具の解錠操作に応じて該ロック杆を上昇動作させる作動レバーが該保管庫本体の上部内に配設され、解錠操作時に該作動レバーの動作により該ロック杆と共に該ロック片が上昇して、該ロックアームの前方への回動が許容されて該抽斗が引き出し可能とされ、解錠状態で何れか１つの該抽斗が引き出され、該当接係止部に押されて該ロックアームが前方に回動したとき、該ラッチ部材が該抽斗側に突出し、保管庫本体内の他の抽斗における該係止孔に該ラッチ部材の爪部が嵌合して、該他の抽斗の動きをロックすることを特徴とする。
【０００８】
ここで、上記施錠具としてカードキーを挿入することにより錠作動部を移動させて解錠動作するカード式錠が配設され、上記作動レバーが該錠作動部に係合して回動可能に枢支され、カード式錠にカードキーを挿入して錠作動部を移動させたとき、該錠作動部が該作動レバーを回動させ、該作動レバーによって上記ロック杆が上昇し抽斗のロックを解除するように構成することができる。
【０００９】
また、上記ロック杆、ロックアーム、ラッチ部材、及び施錠具は、上記保管庫本体の前側角部を形成する縦長のロックケース内に配設することができる。
【発明の効果】
【００１０】
上記構成の抽斗用ロック装置によれば、ロック杆、ロックアーム、ラッチ部材、作動レバー及び施錠具を保管庫本体側に設け、各抽斗の側部に当接係止部と係止孔を有した係止部を設けるだけの簡単な構造で、部品点数が少なく、小型化が可能で、低コストで製造することができる。
【００１１】
また、ロック杆は単純な形状の帯板にロック片を各抽斗位置に対応して突設し、その上端部に係合部を形成するのみで構成されるため、鋼材など金属製として堅強に形成することができる。さらに、各抽斗の側部の係止部にあっても、当接係止部は施錠時、ロックアームに当接して抽斗をロック可能な構造とし、そのロックアームは、ロック杆のロック片に当ってロックされ、解錠時の抽斗の引き出し時には、ロック杆を作動レーにより押し上げて、全ての抽斗の引き出し操作を許容する形状とすればよいから、当接係止部は金属部材により単純な形状で且つ堅強に形成することができる。
【００１２】
また、ラッチ部材とラッチ部材の爪部が嵌合する抽斗の側部の係止孔についても、一つの抽斗が引き出されロックアームの回動に伴ってラッチ部材が前進したとき、ラッチ部材の爪部が他の抽斗の係止孔に嵌合してロックするように、各抽斗の側部の係止部に係止孔を設ければよいから、係止部も金属材料により単純な形状で堅強に形成することができる。したがって、金型などの重量物を保管する保管庫において、大重量の抽斗を安全にロックすることができ、重量物保管庫に好適に使用することがきる。
【発明を実施するための最良の形態】
【００１３】
以下、本発明の一実施形態を図面に基づいて説明する。図１は抽斗式の保管庫に適用される抽斗用ロック装置の正面図を示し、図２は同抽斗用ロック装置の拡大部分右側面図を示し、図３、図４はその断面図を示している。この抽斗用ロック装置は、概略的には、多段状の抽斗２を備えた保管庫本体１の前右柱部を形成する縦長のロックケース３内に、そのロック杆４、ロックアーム６、作動レバー１２、及びカード式錠１０などを装着して構成される。保管庫本体１内には複数の抽斗２が引き出し動作可能に挿入され、内部の定位置に挿入された各抽斗２は、通常ロックされた状態に置かれる。
【００１４】
図９に示すように、各抽斗２の左側部にはレール部２０と係止部５が取り付けられ、係止部５には、抽斗２をロックするために、当接係止部２１と係止孔２２が設けられ、その下側にレール部２０のスライドレール２３が水平に取り付けられている。当接係止部２１と係止孔２２を備えた係止部５は金属製で、例えば鋼板により堅強に形成されている。各抽斗２は、保管庫本体１の定位置に差し込まれた状態で、図４に示す如く、後述のロックアーム６によって係止されてロックされ、施錠具のカード式錠１０により解錠操作し、何れか一つの抽斗２を引き出したとき、残りの他の抽斗２の引き出しを阻止する構造となっている。
【００１５】
ロックケース３は、保管庫本体１の左前部の角柱部を形成するように縦長に形成される。図５に示すように、ロックケース３の上部には、後述のカード式錠１０が取り付けられ、さらに、カード式錠１０の上部と前面を覆うように上部カバー９が取り付けられる。また、図５のように、ロックケース３の正面視で右側縁部には、各抽斗２の高さ位置に対応して、スライドレール２３用に、矩形切欠３ａが形成されている。
【００１６】
ロックケース３の右側面（抽斗２側の内側面）は開口し、その開口を塞ぐように、図６、図７に示すような、ロック装置のベース板７が取り付けられる。このベース板７は、その幅方向に略Ｚ状に曲げられて縦長の枠状に形成される。このベース板７には、図２に示す如く、各抽斗２に対応した位置に、後述のロックアーム６とラッチ部材１５を抽斗２の側部の係止部５側に突出させるための矩形開口部が形成され、その矩形開口部を通してロックアーム６とラッチ部材１５は係止部５側に突出している。
【００１７】
さらに、このベース板７には、図５〜図７に示すように、縦長のロック杆４が組み付けられ、このロック杆４は、ベース板７に対し図６の状態から所定のストロークだけ上昇可能に、長孔４ｃとガイドピン４ｄにより支持されている。ロック杆４はロックアーム６をロック状態とし、所定ストローク上昇することによりそのロックを解除するようになっている。
【００１８】
このため、ロック杆４には、各抽斗２に対応した位置に、図８に示す如く、ロック片４ｂが、ロックアーム６をロックするために、ロック杆４の帯板本体から内側に曲げるように形成される。図４のように、このロック杆４の各ロック片４ｂは、抽斗２を引き出す際に、ロックアーム６が前方に押し出されるとき、ロックアーム６の縁部をそこに当接させ、その押し出しを阻止する構造となっている。
【００１９】
また、ロック杆４の上端部には、その上端部を水平に曲折することにより、係合部４ａが形成されている。この係合部４ａは、後述の作動レバー１２がカード式錠１０の解錠操作に伴って上に回動したとき、作動レバー１２の先端が当接して、ロック杆４が押し上げられ、各ロック片４ｂの位置をロックアーム６の位置から上にずらし、これにより、ロックを解除するようになっている。
【００２０】
作動レバー１２は、図８など示すように、側面を略Ｌ字状に形成され、その後下部を枢軸１２ａにより、上下に回動可能にベース板７の上部に枢支されている。作動レバー１２の上端部１２ｂは、カード式錠１０の錠作動部１１の後方に位置し、カード式錠１０にカードキーが差し込まれ、錠作動部１１が後方に移動したとき、作動レバー１２の上端部１２ｂに当たり、図１０の時計方向に作動レバー１２が回動し、その先端部でロック杆４を押し上げる構造である。
【００２１】
さらに、ベース板７における各抽斗２位置に対応した箇所には、図４、図８に示すように、ロックアーム６とラッチ部材１５がベース板７の開口部から抽斗２の係止部５側に突き出すように配設される。このロックアーム６は、図４のように、平面を略Ｌ字状に形成され、その先端部をベース板７の開口部から抽斗２の係止部５（レール部２０）側に突き出し、抽斗２の当接係止部２１に当接可能に臨ませている。
【００２２】
ベース板７の内側に位置するロックアーム６の元部は、リンク部６ａとしてラッチ部材１５に連結される。さらにリンク部６ａの元部は、ベース板７の内側に固定されたベースブラケット１７に対し、垂直な軸６ｂを介して回動可能に軸支されている。これにより、図１１のように、抽斗２の引き出し操作に伴い、当接係止部２１がロックアーム６の先端を押したとき、他の抽斗２が保管庫本体１内でロックされるようになっている。つまり、何れか１つの抽斗２が引き出されたとき、その抽斗位置のロックアーム６は、図１１の時計方向に回動して当接係止部２１の係止を外し、抽斗の引出し動作を許容するようになっている。ロックアーム６には戻しばね１６が固定部（ロックケース）との間に掛けられ、ロックアーム６を係止側に戻す側（図４の反時計方向）に常時付勢している。
【００２３】
また、このロックアーム６の回動時、リンク部６ａの動作により図１３のように、ラッチ部材１５が抽斗２の係止部５側に押し出され、その爪部１５ｂの先端が抽斗２の係止孔２２内に進入し、引き出された抽斗２とは別の抽斗２をロックする構造である。なお、このようなロックアーム６とラッチ部材１５は、図２、図８に示すように、各抽斗２に対応して、各々の位置にベースブラケット１７を介して取り付けられている。また、それら各ロックアーム６の元部は、図８に示すように、縦方向に配設した縦長枠状の連結杆８によって連結され、各抽斗２の位置のロックアーム６とラッチ部材１５は同時に同期して同じ角度だけ回動する構造となっている。
【００２４】
ラッチ部材１５は、図４などに示すように、角筒状のケース１５ａ内にコイルばね１５ｃを介して爪部１５ｂを摺動可能に挿入し、コイルばね１５ｃにより爪部１５ｂの先端を抽斗２のレール部２０側に突出させる構造となっている。さらに、ラッチ部材１５のケース１５ａは、ベースブラケット１７上で所定のストロークだけ押し出し方向に摺動可能に取り付けられている。これにより、図１１、図１３の如く、抽斗２の引出し操作に伴い、ロックアーム６が前方に回動したとき、リンク部６ａを介して係止部５の係止孔２２側に突き出し移動する構造となっている。
【００２５】
またこのとき、引き出し操作された抽斗２のラッチ部材１５は、図１１に示すように、抽斗２の引出し操作が許容されて引き出されるため、その係止孔２２が移動し、爪部１５ｂの先端がレール部２０の外面に当接して、ケース１５ａ内に戻され、爪部１５ｂは係止孔２２に係止されない。一方、他の抽斗２（引き出されない抽斗）に対応した位置のラッチ部材１５は、図１３のように、ロックアーム６が前方に回動したとき、その爪部１５ｂの先端がレール部２０の係止孔２２内に進入し、その抽斗２をラッチ部材１５によりロックする構造となっている。
【００２６】
上記のロックケース３内に収容されるロック機構は、ロック杆４、ロックアーム６、ラッチ部材１５、作動レバー１２を含めて、全ての部材が金属製、例えば鋼板または鋼材などから形成され、堅強な構造に製作される。
【００２７】
図１、図２に示すように、ロックケース３の上端部に、上部カバー９を備えたカード式錠１０が取り付けられる。上部カバー９はロックケース３の上部カバーとして機能し、ロックケース３の上部に固定ねじで固定され、カード式錠１０はその内側に取り付けられる。図５のように、上部カバー９の正面側に、カードキーを差し込むためのスリット孔９ａが形成されている。
【００２８】
カード式錠１０は、ケーシング内に移動板を移動可能に配設し、ケーシングと移動板の厚さ方向に穿設された複数のピン孔にアンダーピンとコードピンがばねで付勢されて摺動可能に配設される。図２、図５に示すように、カード式錠１０の側面に、設定カード挿入長孔１０ｂとカードキー挿入長孔１０ａがピン孔の横断方向に形成され、各コードピンの上方のピン孔に１個のボールが収容される。設定カード挿入長孔１０ｂに挿入した設定カードを、そのコードピンとボールの間に差し込むことにより、解錠用のカードキーにおける孔の位置が設定される。
【００２９】
このカード式錠１０は、設定カード挿入長孔１０ｂに差し込まれた設定カードにより解錠コードが設定され、その解錠コードに対応した複数の孔を有するカードキーのみが解錠キーとなる。また、移動板の端部には、錠作動部１１が取着され、その錠作動部１１はカード式錠１０の底面側に突き出しており、カードキーをカードキー挿入長孔１０ａに差し込んで移動板を押し込むと、解錠動作が行なわれ、移動板が後方に移動し、錠作動部１１が後方に移動する。
【００３０】
各抽斗２においては、その両側部に、スライドレール２３の抽斗側レールが水平に固定され、スライドレール２３の本体側レールはロックケース３及び保管庫本体１の内側面に固定される。
【００３１】
図１４に示すように、保管庫本体１の正面側の左角部に位置するロックケース３内に、本ロック装置の構成部材が、各抽斗２の係止部５とレール部２０を除いて、全て収納される構造となっている。このため、既存の抽斗式保管庫の基本的な設計をそれほど変更することなく、既存設計の抽斗式保管庫における正面側の左角部のみを変更するだけで、本発明のロック装置を適用することができ、また、保管庫の大きさや抽斗の段数などが異なった場合でも、容易に対応することができる。
【００３２】
次に、上記構成の抽斗用ロック装置の動作を説明する。全ての抽斗２を保管庫本体１内に収納した状態では、図２、図８に示すように、ロック杆４がその自重により下降端に位置し、各抽斗２を引き出し操作した場合、各抽斗２の側部の係止部５における当接係止部２１がロックアーム６に当たり、ロックアーム６を前方に押すように作用する。しかし、このときロックアーム６の側縁部は、ロック杆４のロック片４ｂに当るため、ロックアーム６は前方への回動をロックされて回動できず、これにより、全ての抽斗２はロックされ、施錠状態を保持して、引き出すことができない。
【００３３】
カードキーをカード式錠１０のカードキー挿入長孔１０ａに挿入すると、錠が解錠され、そのままカードキーを更に押し込むと、カード式錠１０の移動板が図１０の右側に移動し、錠作動部１１も同様に移動する。このとき、図１０のように、錠作動部１１が作動レバー１２の上端部に係合してこれを後方（図１０の右側）に押す。これにより、作動レバー１２が図１０の時計方向に回動し、ロック杆４の係合部４ａと係合し、ロック杆４が作動レバー１２の回動に応じて持ち上げられ、上昇する。
【００３４】
このロック杆４の上昇により、ロック杆４における各抽斗位置の全てのロック片４ｂが上昇し、これにより、各抽斗位置のロックアーム６とロック片４ｂとの係合が解除され、ロックアーム６が前方に回動可能な状態となる。これにより、抽斗の側部の当接係止部２１がロックアーム６を前方に押して通過可能となり、全ての抽斗２が引き出し可能となって、ロックが解除される。
【００３５】
この状態で、何れかの１つの抽斗２を引き出すと、図１１、図１２に示すように、抽斗側部の係止部５の当接係止部２１の前進移動より、ロックアーム６が前方に回動し、リンク部６ａを介してラッチ部材１５が係止部５側に突き出すように前進する。このとき、図１１のように、その抽斗２は引き出されているため、係止部５の係止孔２２は、ラッチ部材１５の爪部１５ｂが嵌合することなく前方に移動し、ラッチ部材１５の爪部１５ｂはケース１５ａ内にコイルばね１５ｃを押して引っ込むこととなる。そして、ロックを外され、ラッチ部材１５によってもラッチされないこの抽斗２は、この状態で引き出し端部まで引き出される。
【００３６】
一方、引き出されずに保管庫本体１内に残った他の抽斗２は、図１３に示すように、その抽斗位置のロックアーム６の前方への回動に伴い、ラッチ部材１５が抽斗２の側部の係止部５側に前進する。このとき、ラッチ部材１５の爪部１５ｂは係止孔２２に臨んでいるため、図１３のように、爪部１５ｂが係止孔２２内に嵌入し、保管庫本体１内に残った他の全ての抽斗２は、ラッチ部材１５の爪部１５ｂにより係止されロックされて、引き出すことはできない。
【００３７】
このように、カード式錠１０の解錠操作に応じて、各抽斗位置のロックアーム６はロック解除位置に回動して、各抽斗２は引き出し可能な状態となるところ、そのうち１つの抽斗２を引き出した場合、他の抽斗２はラッチ部材１５により係止され、引き出しできない状態にロックされる。
【００３８】
したがって、カード式錠１０にカードキーを差し込んで、解錠操作を行い、何れか１つの抽斗２を引き出したときには、保管庫本体１内に残った抽斗２は、全てロック状態を保持し、引き出すことができないから、抽斗２に金型などの重量物を収納した場合、複数の抽斗を引き出したとき、保管庫の重心位置が前方に移動して保管庫が前方に倒れてしまうという不具合を防止することができる。
【００３９】
一方、引き出した抽斗２を元の保管庫本体１内に押し戻すと、その抽斗２の係止部５が図１１から図４の状態を経て保管庫本体１内の定位置に戻るが、このとき、ロックアーム６は、その先端が係止部５の右側（奥側）の傾斜部２４に当って逃げるように回動し、その後、戻しばね１６の作用により図４の状態に引戻され、元の施錠状態に戻ることとなる。そして、引き出した抽斗２を元の保管庫本体１内に押し戻すと、ロック杆４がその自重により下降端まで下降して静止し、各ロック片４ｂが図８に示すようにロックアーム６をロックする位置に戻り、全ての抽斗２がロックされる。
【００４０】
このように、本抽斗用ロック装置によれば、ロック片４ｂを備えたロック杆４、ロックアーム６、作動レバー１２、及び作動レバー１２を介してロック杆４を押し上げて解錠動作させるカード式錠１０を、保管庫本体１の前角部のロックケース３内に収容し、各抽斗２の側部に、当接係止部２１、係止孔２２を備えた係止部５を設けるだけの簡単な構造で構成することができ、部品点数が少なく、小型化が可能で、低コストで製造することができる。
【００４１】
また、ロック杆４は単純な形状の帯板の上端部に係合部４ａを折り曲げ形成し、各抽斗位置に対応してロック片４ｂを突設するのみで構成されるため、鋼板などにより堅強に形成することができる。さらに、各抽斗２の側部に当接係止部２１、係止孔２２を備えた係止部５を設けているところ、当接係止部２１は施錠時、ロックアーム６に当接して抽斗２をロックし、解錠時の抽斗２の引き出し時には、ロック杆４を少し押し上げてロックアーム６の前方への回動を許容して抽斗２の引き出し操作を可能とする構造であり、係止部５は単純な形状で鋼板などにより堅強に形成することができる。
【００４２】
また、一つの抽斗２が引き出され、ロックアーム６が回動してラッチ部材１５が前進し、残留する他の抽斗２の係止孔２２にラッチ部材１５の爪部１５ｂが嵌合し、他の抽斗２の引き出し動作をロックする構造であるから、係止部５の係止孔２２も単純な形状で堅強に形成することができる。したがって、金型などの重量物を保管する保管庫において、大重量の抽斗２を安全にロックすることができ、重量物保管庫に好適に使用することがきる。
【図面の簡単な説明】
【００４３】
【図１】本発明の一実施形態を示す抽斗用ロック装置の正面図である。
【図２】同ロック装置の拡大部分右側面図である。
【図３】図２のIII-III断面図である。
【図４】図２のIV-IV断面図である。
【図５】抽斗用ロック装置の部分的な分解正面図である。
【図６】ベース板とロック杆の拡大部分正面図である。
【図７】図６のVII-VII断面図である。
【図８】ベース板を破断した状態の抽斗用ロック装置の拡大部分右側面図である。
【図９】抽斗の左側面図である。
【図１０】解錠操作時のロック装置の拡大部分右側面図である。
【図１１】解錠操作時の図４に対応した断面図である。
【図１２】解錠操作時の拡大部分右側面図である。
【図１３】保管庫本体内に残った他の抽斗をラッチ部材が係止した状態の断面図である。
【図１４】本抽斗用ロック装置を設けた保管庫の正面図である。
【符号の説明】
【００４４】
１      保管庫本体
２      抽斗
３      ロックケース
４      ロック杆
４ａ    係合部
４ｂ    ロック片
５      係止部
６      ロックアーム
１０    カード式錠
１２    作動レバー
１５    ラッチ部材
２１    当接係止部
２２    係止孔
【図１】
2009150119.tif 000003
【図２】
2009150119.tif 000004
【図３】
2009150119.tif 000005
【図４】
2009150119.tif 000006
【図５】
2009150119.tif 000007
【図６】
2009150119.tif 000008
【図７】
2009150119.tif 000009
【図８】
2009150119.tif 000010
【図９】
2009150119.tif 000011
【図１０】
2009150119.tif 000012
【図１１】
2009150119.tif 000013
【図１２】
2009150119.tif 000014
【図１３】
2009150119.tif 000015
【図１４】
2009150119.tif 000016